(57)【要約】      （修正有）【課題】ファイリング用バインダーの挿通ピンが挿し込まれる主穴と綴じ紐を挿通する補助穴とを同時に形成できる穴開けパンチ器具を提供する。【解決手段】２つの棒状穴開け刃体ａの主穴刃部１の先端内側面に、綴じ紐用の補助穴３ａを形成自在な補助刃部２が設けられており、補助刃部２が設けられた棒状穴開け刃体ａによって書類ｓに主穴３と補助穴３ａが同時に形成され、補助穴３ａに綴じ紐４が通されて書類ｓが綴じられたままの状態で、書類ｓの主穴３にファイリング用バインダーｂの挿通ピン５が挿し込まれてファイリング自在に構成されている。【選択図】図２
0003223271.tif 000002
【実用新案登録請求の範囲】
【請求項１】
先端に主穴刃部を備えファイリング用の主穴を形成する２つの棒状穴開け刃体が配設され、前記２つの棒状穴開け刃体がハンドルにより垂直方向に押圧されて、ファイリング用の書類に主穴を形成する穴開けパンチ器具において、
前記２つの棒状穴開け刃体の主穴刃部の先端内側面に、綴じ紐用の補助穴を形成自在な補助刃部が設けられており、前記補助刃部が設けられた棒状穴開け刃体によって書類に主穴と補助穴が同時に形成され、前記補助穴に綴じ紐が通されて書類が綴じられたままの状態で、前記書類の主穴にファイリング用バインダーの挿通ピンが挿し込まれてファイリング自在に構成されていることを特徴とする穴開けパンチ器具。
【請求項２】
前記棒状穴開け刃体の補助刃部が、前記主穴刃部より小さ目もしくは同じ形状にて、同主穴刃部に連接もしくは一部ラップして設けられていることを特徴とする、請求項１に記載の穴開けパンチ器具。
【請求項３】
前記棒状穴開け刃体が、該棒状穴開け刃体を形成せしめる胴体部の上方部に、前記ハンドルに水平状に架設せしめる軸杆が貫通する貫通孔を前記棒状穴開け刃体の軸心方向に対し直角状に形成せしめられていることを特徴とする、請求項１又は２に記載の穴開けパンチ器具。
【請求項４】
前記棒状穴開け刃体が、円柱状にて形成せしめられていることを特徴とする、請求項１又は２又は３に記載の穴開けパンチ器具。
【考案の詳細な説明】
【技術分野】
【０００１】
本考案は、穴開けパンチ器具に係り、さらに言えば、穴開け刃体により書類等に主穴と補助穴が同時に形成され、前記補助穴に綴じ紐が通されて書類等が綴じられたままの状態で、前記書類等の主穴にファイリング用バインダーの挿通ピンが挿し込まれファイリング自在な穴開けパンチ器具の技術分野に関するものである。
【背景技術】
【０００２】
従来、書類、カタログ等をファイルに綴じる場合に、紙の綴じ穴をあけるＬ字形穴あけパンチが、例えば下記特許文献１（実開平２−４３２００号公報）に開示されている。
【０００３】
この特許文献１に開示されているＬ字形穴あけパンチは、多数枚の書類を綴じ紐によって綴じ込んだ状態のままファイリングしたものではない。
【０００４】
また、前記特許文献１に記載されているＬ字形穴あけパンチは、多数枚のファイリングされている書類をファイルのＬ字形切欠穴から取外すとき、綴じ金具を取外す必要がないと云う利便さはあっても、再度取外した書類を戻すためのファイリング時には、前記書類に形成のＬ字形切欠穴１３を形成している突片が書類の移動や処理時の衝撃等によって劣化して変形したり、あるいは一部切り取られたりして再度のファイリングがスムーズに行われないおそれを指摘できる。
【先行技術文献】
【特許文献】
【０００５】
【特許文献１】実開平２−４３２００号公報
【考案の概要】
【考案が解決しようとする課題】
【０００６】
前記した特許文献１に開示されているＬ字形穴あけパンチは、長所として多数枚のファイリングされている書類から、必要となった書類を綴じ込みから取外すのに、綴じ金具を取外す作業が不要になったが、取外した書類を再度ファイルにファイリングするときは、書類の端縁部側に形成されているＬ字形切欠穴１３を形成せしめている突片が劣化したり、あるいは変形したり、あるいは切り取られたりしてしまうおそれがあった。
【０００７】
また、特許文献１に記載されているＬ字形穴あけパンチは、Ｌ字形穴をあける刃体であって、ファイリング用バインダーの挿通ピンに挿し込むことができる主穴と、綴じ紐等を通すための補助穴を穴開けするための穴開け刃体が構成部材とされた穴開けパンチ器具ではなかった。
【０００８】
しかるに本考案は、前記した従来開示のＬ字形穴あけパンチの構造とは異なり、穴開けパンチ器具の主たる構成部材である、２つの穴開け刃体の先端内側面に綴じ紐用の補助穴を形成自在な補助刃部を設けることによって、ファイリング用バインダーの挿通ピンが挿し込まれる主穴と綴じ紐を挿通せしめる補助穴とを同時に形成できる利点がある。
【０００９】
さらに本考案の穴開けパンチ器具は、該穴開けパンチ器具を構成している穴開け刃体によって、各年次毎もしくは各会社毎等の種々様々な綴じ紐によって区分けされた書類を、そのまま綴じ込んだファイルから必要なときに、バインダーの綴じ金具を取り外し、極めて簡単且迅速に取り出したり、あるいは綴じ紐によって綴じ込まれた書類を再度バインダーに綴じ込み整理整頓ができるようにして課題を解決した。
【課題を解決するための手段】
【００１０】
上記課題を解決するための手段として、請求項１に記載の考案は、先端に主穴刃部１を備えファイリング用の主穴３を形成する２つの棒状穴開け刃体ａが配設され、前記２つの棒状穴開け刃体ａがハンドルｈにより垂直方向に押圧されて、ファイリング用の書類ｓに主穴３を形成する穴開けパンチ器具Ａにおいて、
前記２つの棒状穴開け刃体ａの主穴刃部１の先端内側面に、綴じ紐用の補助穴３ａを形成自在な補助刃部２が設けられており、前記補助刃部２が設けられた棒状穴開け刃体ａによって書類ｓに主穴３と補助穴３ａが同時に形成され、前記補助穴３ａに綴じ紐４が通されて書類ｓが綴じられたままの状態で、前記書類ｓの主穴３にファイリング用バインダーｂの挿通ピン５が挿し込まれてファイリング自在に構成されていることを特徴とする穴開けパンチ器具である。
【００１１】
請求項２に記載の考案は、前記棒状穴開け刃体ａの補助刃部２が、前記主穴刃部１より小さ目もしくは同じ形状にて、連接もしくは一部ラップして設けられていることを特徴とする、請求項１に記載の穴開けパンチ器具である。
【００１２】
請求項３に記載の考案は、前記棒状穴開け刃体ａが、該棒状穴開け刃体ａを形成せしめる胴体部の上方部に、前記ハンドルｈに水平状に架設せしめる軸杆１２が貫通する貫通孔６を前記棒状穴開け刃体ａの軸心方向に対し直角状に形成せしめられていることを特徴とする、請求項１又は２に記載の穴開けパンチ器具である。
【００１３】
請求項４に記載の考案は、前記棒状穴開け刃体ａが、円柱状にて形成せしめられていることを特徴とする、請求項１又は２又は３に記載の穴開けパンチ器具である。  
【考案の効果】
【００１４】
本考案は上述のとおりの構成なので、綴じ紐によって綴じ込まれたままの綴じ紐付き書類を単位にして、前記書類を複数個ファイルの挿通ピンに挿込みファイリングをして整頓しておくことができると共に、さらに必要な単位の書類を取出したいときは、ファイルの前記挿通ピンと対応する綴じ込み金具を取外し、必要とする書類を前記綴じ紐付き書類のまま極めて簡単にして、且迅速に取出し、必要としない綴じ紐付き書類は、再度前記挿通ピンに挿通せしめることができる極めて優れた利点を有している。
【図面の簡単な説明】
【００１５】
【図１】本考案の穴開けパンチ器具を示した正面図である。
【００１６】
【図２】同穴開けパンチ器具の一部切欠拡大正面図である。
【００１７】
【図３】同穴開けパンチ器具の底面図である。
【００１８】
【図４】同穴開けパンチ器具の一部切欠拡大底面図である。
【００１９】
【図５】同穴開けパンチ器具の穴開け刃体の斜視図である。
【００２０】
【図６】同穴開けパンチ器具の左側面図である。
【００２１】
【図７】同穴開けパンチ器具の押圧した状態の左側面図である。
【００２２】
【図８】同穴開けパンチ器具によって穿孔せしめられた書類を紐にて綴じ込み、綴じ込んだ書類をバインダーの挿通ピンに綴じ込んだ状態のバインダーの展開図である。
【００２３】
【図９】同穴開けパンチ器具を構成する穴開け刃体の斜視図である。
【００２４】
【図１０】同図９に示した穴開け刃体の底面図である。
【００２５】
【図１１】異なる穴開け刃体の底面図である。
【００２６】
【図１２】さらに異なる穴開け刃体の底面図である。
【００２７】
【図１３】穴開けパンチ器具によって主穴と補助穴があけられた一部切欠の書類の平面図である。
【００２８】
【図１４】異なる穴開けパンチ器具を示した斜視図である。
【考案を実施するための最良の形態】
【００２９】
本考案の穴開けパンチ器具の好適な実施形態を、以下図面にしたがって説明する。
【００３０】
図において、符号Ａは本考案の穴開けパンチ器具を示しており、該穴開けパンチ器具Ａは、基台７と同基台７の上面部に所定の間隔をおいて、起立部８、８が対向状に取着し、該起立部８、８とハンドルｈの前方部が巻ばね１４によって弾発付勢せしめられて張設されている。
【００３１】
また、この穴開けパンチ器具Ａは、前記起立部８、８に当該穴開けパンチ器具Ａの主たる構成要件である棒状穴開け刃体ａが、前記起立部８、８に垂直状に昇降自在に軸杆１２によって前記起立部８、８に架設せしめられている。
【００３２】
つぎに前記基台７の構成について説明する。
【００３３】
この基台７は、通常４辺形状にて形成され、前方端縁部に前記棒状穴開け刃体ａの主穴刃部１と補助刃部２が、前記棒状穴開け刃体ａが押下げられると嵌挿し、前記基台７と２つの前記起立部８、８との間に挿込まれた書類ｓに、主穴３と補助穴３ａを穿孔することができる通し穴１１、１１が図３、４のように対向状に形成されている。
【００３４】
前記基台７に形成されている通し穴１１、１１は、図３と図４に示したように、棒状穴開け刃体ａの主穴刃部１と補助刃部２の径状より稍大き目に形成されている。そのため、前記書類ｓの主穴３と補助穴３ａを、スムーズに同時カットすることができる。
【００３５】
つぎに本考案穴開けパンチ器具Ａの起立部８、８の構成について説明する。
【００３６】
この起立部８、８は、前記基台７の上面部に所定間隔おきに、しかも対向状に立設される。そして、これら起立部８、８は、図１と図２、図５に示したように、左右両サイドに左側壁部１０と右側壁部１０ａが所定の間隔をおいて形成され、前記左側壁部１０と右側壁部１０ａの上方水平部１０ｂには、前記棒状穴開け刃体ａが、垂直状に昇降できる嵌挿孔１１ａが形成せしめられている。
【００３７】
また本考案は、前記起立部８、８の左側壁部１０と右側壁部１０ａに、前記した棒状穴開け刃体ａの貫通孔６に貫通せしめ、且前記左側壁部１０と右側壁部１０ａに水平状に架設せしめた軸杆１２が、上下方向にスライドできる細長い遊動孔１３、１３が形成されている。前記のように水平状に架設せしめた前記軸杆１２の左右両端部は、前記遊動孔１３、１３に挿通され、さらに前記軸杆１２の左右両端部と前記ハンドルｈの前方部１２ａが離脱しないように接続されている（図１、図２、図５、図６、図７参照）。
【００３８】
図において、符号１４は前記起立部８、８に棒状穴開け刃体ａを垂直状に支持する軸杆１２の後方部に、前記ハンドルｈを上向きに弾発付勢せしめるように張設した巻ばねを示している。
【００３９】
前記巻ばね１４は、巻き部１４ａに支持ピン１５を貫通せしめると共に、前記支持ピン１５の両端部が、前記起立部８、８の左側壁部１０と右側壁部１０ａと前記ハンドルｈの前方部１２ａから離脱しないように突設されている。
【００４０】
上記のように弾発付勢せしめられ張設した前記巻ばね１４の一端部１４ｂは、前記ハンドルｈの内側面に当接され、前記巻ばね１４の他方の一端部１４ｂは、前記起立部８、８の底面部８ａに当接されている。
【００４１】
図において、符号ａは本考案の穴開けパンチ器具Ａの主たる構成要件のファイリング用の主穴刃部１と補助刃部２を形成せしめた棒状穴開け刃体を示している。
【００４２】
この棒状穴開け刃体ａは、主として円柱形状にて形成され、下方部には前記ファイリング用の主穴３を形成する主穴刃部１が形成せしめられ、さらに前記主穴刃部１の内側面に綴じ紐用の補助穴３ａを形成せしめる補助刃部２が設けられている（図９、図１０、図１１参照）。
【００４３】
また、前記補助刃部２の構造は、図１０に図示されているように主穴刃部１の大きさより若干小さ目に形成するが、図１１に示したように、主穴刃部１と同形状のものが接続された構造でもよい。かくして、当該補助刃部２は、主穴刃部１に一部ラップして設けられているが、図１２に示したように、一部ラップせずに主穴刃部１に連接する形態でも好適に実施される。
【００４４】
前記棒状穴開け刃体ａの補助刃部２は、図９に図示したように、前記刃体ａの下方部から刃先部にかけて、盛り上がった、いわゆる突出状にて形成せしめてもよい。しかし本考案においては、前記形状に限定するものでない。
【００４５】
符号６は、前記棒状穴開け刃体ａの上方部に形成した軸杆１２を貫通せしめる貫通孔を示している。そして、前記貫通孔６の穴開け方向は、前記主穴刃部１と補助刃部２の中心を結ぶ方向と同一方向にて形成されている。
【００４６】
図において、符号１６は書類ｓの端縁部が差し込まれたとき停止せしめるためのストッパーを示している。符号１７は前記書類ｓの差し込みを誘導する誘導板である（図１、２、５）。
【００４７】
また、前記２個の起立部８、８が基台７の上面部に所定の間隔をおいて装着せしめるとき、前記起立部８、８の底面部８ａは、前記書類ｓの穴開けがスムーズにできるように若干の空隙部７ａを設けると共に、前記基台７の上面部と起立部８、８の底面部８ａが調節され組み立てられている。
【００４８】
本考案の穴開けパンチ器具Ａは、書類ｓの穴開け作業が行われない場合は、図６に図示したように、架設の軸杆１２によって垂直状にセットされている棒状穴開け刃体ａの主穴刃部１と補助刃部２が、起立部８、８の底面部８ａより突設することがない。よって、穴開け作業を中止する場合は安全である。
【００４９】
したがって、本考案の穴開けパンチ器具Ａは、図６の状態から、図７に示したように、書類ｓを差込んだ後、前記ハンドルｈを下方向に押下げると、前記巻ばね１４によって上方向に張設されているハンドルｈが、前記棒状穴開け刃体ａを押下げる。前記のように棒状穴開け刃体ａが押下げられると、図１３に示したように、前記書類ｓに主穴３と補助穴３ａが同時に穿孔される。よって多数枚の書類ｓの束を綴じ紐４にて綴じ込み、バインダーｂの挿通ピン５に挿通しファイリング自在とされる（図８）。
【００５０】
本考案は、前記のように穴開けパンチ器具Ａによって、書類ｓに主穴３と接続する補助穴３ａとを同時に穿孔することによって、綴じ紐４を以って束状にした前記書類ｓをそのまま前記バインダーｂの挿通ピン５に挿し通すことができる。
【００５１】
また、穴開けパンチ器具Ａを使用して、書類ｓに主穴３と補助穴３ａを穿孔し、綴じ紐４にて綴じ込み後、バインダーｂの挿通ピン５から複数回綴じ込み書類ｓを出したり、綴じ込んだりしても、前記挿通ピン５に対する挿通はスムーズである。
【００５２】
以上に本考案の実施例を図面に基づいて説明したが、本考案は、図示例の限りではなく、例えば図１４に示したような大型の穴開けパンチ器具Ａ´にも同様に実施される等、その技術的思想を逸脱しない範囲において、当業者が通常に行う設計変更、応用のバリエーションの範囲を含むことを念のために言及する。
【符号の説明】
【００５３】
Ａ      穴開けパンチ器具
ａ      棒状穴開け刃体
ｂ      ファイリング用バインダー
ｈ      ハンドル
ｓ      書類
１      主穴刃部
２      補助刃部
３      主穴      
３ａ    補助穴
４      綴じ紐
５      挿通ピン
６      貫通孔
７      基台
７ａ    空隙部
８      起立部
８ａ    底面部
１０    左側壁部
１０ａ  右側壁部
１０ｂ  上方水平部
１１    通し穴    
１１ａ  嵌挿孔
１２    軸杆
１２ａ  前方部
１３    遊動孔
１４    巻ばね
１４ａ  巻き部
１４ｂ  一端部
１５    支持ピン    
１６    ストッパー
１７    誘導板
【図１】
0003223271.tif 000003
【図２】
0003223271.tif 000004
【図３】
0003223271.tif 000005
【図４】
0003223271.tif 000006
【図５】
0003223271.tif 000007
【図６】
0003223271.tif 000008
【図７】
0003223271.tif 000009
【図８】
0003223271.tif 000010
【図９】
0003223271.tif 000011
【図１０】
0003223271.tif 000012
【図１１】
0003223271.tif 000013
【図１２】
0003223271.tif 000014
【図１３】
0003223271.tif 000015
【図１４】
0003223271.tif 000016